(57)【要約】【課題】マルチタッチ検出機能を有するタッチパネルシステム及びマルチタッチを検出する方法を提供する。【解決手段】タッチパンルの第一軸方向におけるＮ個の第一センスラインをスキャンし、スキャン結果により、少なくとも一つの物件によりタッチされた少なくとも一つの第一センスラインを検出するステップと、少なくとも一つの高周波数信号を、前記少なくとも一つの物件によりタッチされた前記少なくとも一つの第一センスラインに入力し、及び、Ｍ個の低周波数信号を、前記タッチパネルの第二軸方向におけるＭ個の第二センスラインに入力するステップと、前記第二軸方向におけるＭ個の第二センスラインのＭ個のフィードバック信号を受け取って検出し、当該Ｍ個のフィードバック信号により、少なくとも一つのタッチポインチの位置を判定するステップと、を含む。【選択図】図４
2012043401.tif 000002
【特許請求の範囲】
【請求項１】
マルチタッチを検出する機能を有するタッチパネルシステムであって、
少なくとも一つの物件のタッチに供され、第一軸方向にＮ個の第一センスラインがあり、第二軸方向にＭ個の第二センスラインがあるタッチパネルと、
前記Ｎ個の第一センスラインにカップリングされ、前記第一軸方向における前記Ｎ個の第一センスラインをスキャンする第一トランシーバーと、
前記Ｍ個の第二センスラインにカップリングされ、前記第二軸方向における前記Ｍ個の第二センスラインをスキャンする第二トランシーバーと、
前記第一トランシーバー及び前記第二トランシーバーにカップリングされる処理器と、
を含み、
前記処理器は、前記第一トランシーバーのスキャン結果により、少なくとも一つの物件によりタッチされた少なくとも一つの前記第一センスラインを検出し、前記第一トランシーバーから少なくとも一つの高周波数信号を、前記少なくとも一つの物件によりタッチされた前記少なくとも一つの前記第一センスラインに入力するよう、前記第一トランシーバーを制御し、及び、前記第二トランシーバーからＭ個の低周波数信号を、前記タッチパネルの前記第二軸方向における前記Ｍ個の第二センスラインに入力するよう、前記第二トランシーバーを制御し、また、前記第二トランシーバーが前記Ｍ個の第二センスラインを経由して受け取ったＭ個のフィードバック信号を検出し、当該Ｍ個のフィードバック信号により少なくとも一つのタッチポイントの位置を判定する、
タッチパネルシステム。
【請求項２】
前記タッチパネルは、投影型容量タッチパネルである、
請求項１に記載のタッチパネルシステム。
【請求項３】
前記Ｍ個のフィードバック信号は、前記Ｍ個の低周波数信号に前記少なくとも一つの高周波数を混入したＭ個の混合信号である、
請求項１に記載のタッチパネルシステム。
【請求項４】
前記Ｎは、前記Ｍに等しい、
請求項１に記載のタッチパネルシステム。
【請求項５】
前記Ｎは、前記Ｍに等しくない、
請求項１に記載のタッチパネルシステム。
【請求項６】
前記処理器は、第一検出回路と、第二検出回路と、を含み、
前記第一検出回路は、
前記少なくとも一つの第一センスラインから反射されてきた信号を、対応するパルス信号に変換する電圧レベル比較器と、
周波数を生成する周波数生成器と、
前記電圧レベル比較器及び前記周波数生成器にカップリングされ、前記周波数により、前記パルス信号をサンプリングするラッチ回路と、
を含み、
前記第二検出回路は、
前記フィードバック信号における低周波数信号を除去するハイパスフィルタと、
前記ハイパスフィルタにカップリングされ、前記ハイパスフィルタの出力信号の波形を成形する成形フィルタと、
前記成形フィルタにカップリングされ、前記成形フィルタの出力信号を、対応するデジタル信号に変換するアナログデジタル変換器と、
を含む、
請求項１に記載のタッチパネルシステム。
【請求項７】
マルチタッチを検出する方法であって、
タッチパンルの第一軸方向におけるＮ個の第一センスラインをスキャンし、スキャン結果により、少なくとも一つの物件によりタッチされた少なくとも一つの第一センスラインを検出するステップと、
少なくとも一つの高周波数信号を、前記少なくとも一つの物件によりタッチされた前記少なくとも一つの第一センスラインに入力し、及び、Ｍ個の低周波数信号を、前記タッチパネルの第二軸方向におけるＭ個の第二センスラインに入力するステップと、
前記第二軸方向におけるＭ個の第二センスラインのＭ個のフィードバック信号を受け取って検出し、当該Ｍ個のフィードバック信号により、少なくとも一つのタッチポインチの位置を判定するステップと、
を含む、方法。
【請求項８】
前記少なくとも一つの物件によりタッチされた少なくとも一つの第一センスラインを検出しない場合、前記タッチパネルの第一軸方向におけるＮ個の第一センスラインを継続にスキャンし、前記少なくとも一つの物件によりタッチされた少なくとも一つの第一センスラインを検出するステップを更に含む、
請求項７に記載の方法。
【請求項９】
前記タッチパネルの第一軸方向における前記Ｎ個の第一センスラインをスキャンすることは、トランシーバーを使用して、前記Ｎ個の第一センスラインの各々にパルス信号を発し、また、前記トランシーバーに反射されてきたパルス信号のデューティサイクルにより、前記少なくとも一つの物件によりタッチされた少なくとも一つの第一センスラインを検出することである、
請求項７に記載の方法。
【請求項１０】
前記第二軸方向におけるＭ個の第二センスラインの前記Ｍ個のフィードバック信号を受け取って検出し、前記Ｍ個のフィードバック信号により、前記少なくとも一つのタッチポインチの位置を判定することは、前記第二軸方向におけるＭ個の第二センスラインの前記Ｍ個のフィードバック信号を受け取り、また、前記Ｍ個のフィードバック信号の振幅を検出し、前記Ｍ個のフィードバック信号の前記振幅により前記少なくとも一つのタッチポインチの位置を判定することである、
請求項７に記載の方法。
【発明の詳細な説明】
【技術分野】
【０００１】
本発明は、タッチパネルに関し、特に、マルチタッチ検出機能を有するタッチパネルシステム及びマルチタッチを検出する方法に関する。
【背景技術】
【０００２】
図１は、セルフセンシング（Ｓｅｌｆ  Ｓｅｎｓｉｎｇ）式容量タッチパネルのタッチポイントの検出方式を説明する図である。従来のセルフセンシング式容量タッチパネルのタッチポイントの検出方法は、駆動回路が電圧スキャン信号を提供し、タッチパネルのＸ軸方向にＮ個のセンスライン（Ｓｅｎｓｅ  Ｌｉｎｅ）があり、Ｙ軸方向にＭ個のセンスラインがあれば、駆動回路がＸ軸→Ｙ軸又はＹ軸→Ｘ軸の方式で順番にスキャン（シーケンススキャン）を行う（Ｎ＋Ｍ個のセンスラインを一回スキャンする）ことである。センスラインが物件によりタッチされた後に、容量が大きくなり（物件の容量とセンスラインの容量とは並列接続される）、電圧スキャン信号のデューティサイクル（Ｄｕｔｙ  Ｃｙｃｌｅ）が変わるので、スキャン信号のデューティサイクルの変化によりどのセンスラインがタッチされたかを検出することができる。しかし、セルフセンシング式容量タッチパネルは、マルチタッチのときに、タッチポイントの誤判断の問題が生じることがある。図２は、セルフセンシング式容量タッチパネルにゴーストポイント（Ｇｈｏｓｔ  Ｐｏｉｎｔ）が生じることを示す図である。図２に示すように、二つの物件がセルフセンシング式容量タッチパネル上の二つのポイントＡ、Ｂに置かれる時に、Ｘ軸及びＹ軸方向におけるセンスラインをスキャンした後に、ポイントＡ、Ｂの座標が検出される。しかし、その同時に、セルフセンシング式容量タッチパネルは、ポイントＡ′、Ｂ′の座標も検出してしまい、この点Ａ′、Ｂ′は、ゴーストポイントである。
【０００３】
また、図３は、相互センシング（Ｍｕｔｕａｌ  Ｓｅｎｓｉｎｇ）式容量タッチパネルのタッチポイントの検出方式を示す図である。相互センシング式容量タッチパネルは、マルチタッチの位置を正確に検出することができ、そのタッチパネルの駆動方式は、Ｘ軸方向（又はＹ軸方向）に電圧又は電流のスキャンを行い、その後、Ｙ軸方向（又はＸ軸方向）にタッチポイント信号の獲得を行い、また、Ｘ軸方向に順番にスキャン（シーケンススキャン）する方式で行い、Ｙ軸方向にパネル全体の軸方向の信号データの獲得を行うことである。しかし、このような駆動方式により得られたデータの量が非常に大きく、且つ、これらの信号が後続のシステムにより処理された後に真のタッチポイントを得ることができる。よって、相互センシング式容量タッチパネルは、マルチタッチの位置を検出することができるが、大量の記憶体及び煩雑な後続データ処理を要する。
【先行技術文献】
【特許文献】
【０００４】
【特許文献１】台湾特許出願公開第２００９３３４６５号明細書
【特許文献２】台湾特許出願公開第２００９４７２９１号明細書
【特許文献３】米国特許出願公開第２０１０００３９４０５号明細書
【発明の概要】
【発明が解決しようとする課題】
【０００５】
本発明の目的は、マルチタッチ検出機能を有するタッチパネルシステム及びマルチタッチを検出する方法を提供することにある。
【課題を解決するための手段】
【０００６】
本発明の一実施例は、マルチタッチ検出機能を有するタッチパネルシステムを提供する。このタッチパネルシステムは、タッチパネル、第一トランシーバー、第二トランシーバー、及び、処理器を含む。タッチパネルは、少なくとも一つの物件のタッチに供され、第一軸方向にＮ個の第一センスラインを有し、第二軸方向にＭ個の第二センスラインを有する。第一トランシーバーは、Ｎ個の第一センスラインにカップリングされ、第一軸方向におけるＮ個の第一センスラインをスキャンするために用いられる。第二トランシーバーは、Ｍ個の第二センスラインにカップリングされ、第二軸方向におけるＭ個の第二センスラインをスキャンするために用いられる。処理器は、第一トランシーバー及び第二トランシーバーにカップリングされ、第一トランシーバーのスキャン結果により、少なくとも一つの物件によりタッチされる少なくとも一つの第一センスラインを検出し、第一トランシーバーから少なくとも一つの高周波数信号を少なくとも一つの物件によりタッチされる少なくとも一つの第一センスラインに入力するよう第一トランシーバーを制御し、また、第二トランシーバーからタッチパネルの第二軸方向におけるＭ個の第二センスラインにＭ個の低周波数信号を入力するよう第二トランシーバーを制御し、また、第二トランシーバーがＭ個の第二センスラインを経由して受け取ったＭ個のフィードバック信号を検出し、これに基づいて少なくとも一つのタッチポイントの位置を判定する。
【０００７】
また、本発明の他の実施例は、マルチタッチを検出する方法を提供する。この方法は、タッチパネルの第一軸方向におけるＮ個の第一センスラインをスキャンし、少なくとも一つの物件によりタッチされる少なくとも一つの第一センスラインを検出するステップと、少なくとも一つの高周波数信号を、少なくとも一つの物件によりタッチされる少なくとも一つの第一センスラインに入力し、また、タッチパネルの第二軸方向におけるＭ個の第二センスラインにＭ個の低周波数信号を入力するステップと、タッチパネルの第二軸方向におけるＭ個の第二センスラインからのＭ個のフィードバック信号を受け取って検出し、少なくとも一つのタッチポイントの位置を判定するステップと、を含む。
【０００８】
本発明により提供されるマルチタッチ検出機能を有するタッチパネルシステム及びマルチタッチを検出する方法は、まず、タッチパネルの第一軸方向における第一センスラインを全体的にスキャンし、次に、反射されてきた信号により物件がタッチしたことがあるかどうかを判断する。物件がタッチしたことがあれば、物件がタッチした第一センスラインのみに高周波数信号を入力し、また、その同時に、タッチパネルの第二軸方向における第二センスラインに低周波数を入力する。その後、低周波数信号と高周波数信号との混合信号により、少なくとも一つのタッチポイントの位置を判定する。これにより、ゴーストポイントの誤判断のような状況がなくなり、また、大量の記憶体及び煩雑な後続データ処理も要されない。
【発明の効果】
【０００９】
本発明は、マルチタッチ検出機能を有するタッチパネルシステム及びマルチタッチを検出する方法を提供することができる。
【図面の簡単な説明】
【００１０】
【図１】セルフセンシング式容量タッチパネルのタッチポイントの検出方式を説明する図である。
【図２】セルフセンシング式容量タッチパネルにゴーストポイントが生じることを説明する図である。
【図３】交互センシング式容量タッチパネルのタッチポイントの検出方式を説明する図である。
【図４】本発明の一実施例による、マルチタッチ検出機能を有するタッチパネルシステムを説明する図である。
【図５】処理器により、如何に第一センスラインが物件によりタッチされるかを判定することを説明する図である。
【図６】処理器により、第一トランシーバーから高周波数信号を物件によりタッチされた第一センスラインに入力するよう第一トランシーバーを制御し、及び、第二トランシーバーからタッチパネルの第二軸方向におけるＭ個の第二センスラインにＭ個の低周波数信号を入力するよう第二トランシーバーを制御することを説明する図である。
【図７】物件のタッチがある場合及び無い場合のフィードバック信号を説明する図である。
【図８】本発明の他の実施例によるマルチタッチ検出方法のフローチャートである。
【発明を実施するための形態】
【００１１】
次に、添付した図面を参照しながら、本発明の好適な実施形態を詳細に説明する。
【００１２】
図４は、本発明の一実施例による、マルチタッチ検出機能を有するタッチパネルシステム１００を説明する図である。タッチパネルシステム１００は、タッチパネル１０２、第一トランシーバー１０４、第二トランシーバー１０６及び処理器１０８を含み、そのうち、処理器１０８は、第一検出回路１０８２及び第二検出回路１０８４を含み、タッチパネル１０２は、投影型容量タッチパネルである。タッチパネル１０２は、物件のタッチに供され、タッチパル１０２の第一軸方向には、Ｎ個の第一センスライン１０４２があり、第二軸方向には、Ｍ個の第二センスライン１０６２があり、そのうち、Ｎは、Ｍと等しく又は異なっても良い。第一トランシーバー１０４は、Ｎ個の第一センスライン１０４２及び処理器１０８にカップリングされ、第一スキャン信号を発して第一軸方向におけるＮ個の第一センスライン１０４２をスキャンし、また、Ｎ個の第一センスライン１０４２からの反射信号を受け取るために用いられる。第二トランシーバー１０６は、Ｍ個の第二センスライン１０６２及び処理器１０８にカップリングされ、第二スキャン信号を発して第二軸方向におけるＭ個の第二センスライン１０６２をスキャンし、また、Ｍ個の第二センスライン１０６２からのＭ個のフィードバック信号を受け取るために用いられる。処理器１０８は、第一及び第二トランシーバー１０４、１０６にカップリングされ、処理器１０８は、第一検出回路１０８２からの出力結果により、少なくとも一つの物件によりタッチされた少なくとも一つの第一センスライン１０４２を判定する。第一検出回路１０８２は、電圧レベル比較器１０８２２、周波数生成器１０８２４、及び、ラッチ回路１０８２６を含む。電圧レベル比較器１０８２２は、Ｎ個の第一センスライン１０４２から反射されてきた反射電圧信号を、対応するパルス信号に変換するために用いられ、ラッチ回路１０８２６は、電圧レベル比較器１０８２２及び周波数生成器１０８２４にカップリングされ、周波数生成器１０８２６からの周波数により、電圧レベル比較器１０８２２からのパルス信号をサンプリングし、第一信号Ｓ１を生成する。第二検出回路１０８４は、ハイパスフィルタ１０８４２、成形フィルタ１０８４４、及び、アナログデジタル変換器１０８４６を含む。また、図４に示すように、第一軸方向は、Ｘ軸方向であり、第二軸方向は、Ｙ軸方向である。なお、本発明の他の実施例では、第一軸方向は、Ｙ軸方向であり、第二軸方向は、Ｘ軸方向である。
【００１３】
図５は、処理器１０８により、如何に第一センスライン１０４２が物件によりタッチされたかどうかを判定することを説明する図である。第一センスライン１０４２が物件によりタッチされないとき（物件の容量ＣＦがゼロである）は、第一センスライン１０４２の容量ＣＳしかないので、充放電時間が短く、これにより、第一検出回路１０８２が生成した第一信号Ｓ１のデューティサイクルが短い。第一センスライン１０４２が物件によりタッチされたとき（物件の容量ＣＦがゼロより大きい）は、第一センスライン１０４２の容量ＣＳと物件の容量ＣＦとは並列接続されるので、充放電時間が長く、これにより、第一検出回路１０８２が生成した第一信号Ｓ１のデューティサイクルが長い。よって、処理器１０８は、第一信号Ｓ１のデューティサイクルにより、物件によりタッチされた第一センスライン１０４２を判定することができる。
【００１４】
図６は、処理器１０８により、第一トランシーバー１０４から高周波数信号Ｈ１を物件によりタッチされた第一センスライン１０４２に入力するよう第一トランシーバー１０４を制御し、また、第二トランシーバー１０６からタッチパネルの第二軸方向における第二センスライン１０６２にＭ個の低周波数信号Ｌ１を入力するよう第二トランシーバー１０６を制御することを説明する図である。処理器１０８により、Ｎ個の第一センスライン１０４２のうち第３個、第５個、及び、第Ｎ−１個が物件Ａ１、Ｂ１、及び、Ｃ１によりタッチされたと判定する場合、処理器１０８は、高周波数Ｈ１を第３個、第５個、及び第Ｎ−１個の第一センスライン１０４２に入力するよう第一トランシーバー１０４を制御し、その同時に、第二軸方向におけるＭ個の第二センスライン１０６２にＭ個の低周波数Ｌ１を入力するよう第二トランシーバー１０６を制御する。Ｍ個の低周波数信号Ｌ１と高周波数信号Ｈ１とを混合しＭ個のフィードバック信号を生成する。バイパスフィルタ１０８４２は、第二トランシーバー１０６がＭ個の第二センスライン１０６２を経由して受け取ったＭ個のフィードバック信号のうち低周波数Ｌ１を除去するために用いられ、成形フィルタ１０８４４は、ハイパスフィルタ１０８４２にカップリングされ、ハイパスフィルタ１０８４２からの出力信号の波形を成形するために用いられる。アナログデジタル変換器１０８４６は、成形フィルタ１０８４４にカップリングされ、成形フィルタ１０８４４からの出力信号をＭ個の対応するデジタル信号Ｄ１に変更するために用いられる。処理器１０８は、デジタル信号Ｄ１により、物件Ａ１、Ｂ１、及びＣ１のタッチ位置を判定する。
【００１５】
図７は、物件のタッチがある場合及び無い場合のフィードバック信号を説明する図である。フィードバック信号は、低周波数信号Ｌ１に高周波数信号Ｈ１を混入することにより構成され、物件のタッチがあるときに、一部の高周波数信号Ｈ１のエネルギーが物件により持ち去れるので、フィードバック信号上の混合（Ｃｏｕｐｌｉｎｇ）高周波数信号Ｈ１の振幅が小さい。第二センスライン１０６２に一つ以上の物件のタッチがある場合、前述の原理によれば、フィードバック信号上の混合（Ｃｏｕｐｌｉｎｇ）高周波数信号Ｈ１の振幅がさらに小さくなり、これにより、対応するデジタル信号Ｄ１も変化する。よって、図７に示すように、第２個の第二センスライン１０６２に物件Ａ１のみのタッチがあり、第Ｍ−２個の第二センスライン１０６２に物件Ｂ１、Ｃ１のタッチがあるので、処理器１０８は、アナログデジタル変換器１０８４６により変換されたデジタル信号Ｄ１により、第２個の第二センスライン１０６２に物件Ａ１のみのタッチがあり、及び、第Ｍ−２個の第二センスライン１０６２に二つの物件Ｂ１、Ｃ１のタッチがあると判定することができる。
【００１６】
図８は、本発明の他の実施例によるマルチタッチ検出方法のフローチャートである。図８の方法は、図４のタッチパネルシステム１００に用いられ、その詳細なステップは、次の通りである。
【００１７】
ステップ８００：スタート。
【００１８】
ステップ８０２：第一トランシーバー１０４が第一スキャン信号を発しタッチパネル１０２の第一軸方向におけるＮ個の第一センスライン１０４２をスキャンする。
【００１９】
ステップ８０４：第一トランシーバー１０４がＮ個の第一センスライン１０４２からの反射信号を受け取る。
【００２０】
ステップ８０６：第一検出回路１０８２がＮ個の第一センスライン１０４２により反射された反射信号に基づいてＮ個の第一信号Ｓ１を生成する。
【００２１】
ステップ８０８：処理器１０８がＮ個の第一信号Ｓ１に基づいて第一軸方向におけるＮ個の第一センスライン１０４２が少なくとも一つの物件によりタッチされたことがあるかどうかを判断し、なければ、ステップ８０２に戻し、あれば、ステップ８１０に進む。
【００２２】
ステップ８１０：処理器１０８が物件によりタッチされた第一センスライン１０４２を記録する。
【００２３】
ステップ８１２：第一トランシーバー１０４が高周波数信号Ｈ１を物件によりタッチされた第一センスライン１０４２に発し、また、第二トランシーバー１０６がその同時にタッチパネル１０２の第二軸方向におけるＭ個の第二センスラインにＭ個の低周波数信号Ｌ１を入力する。
【００２４】
ステップ８１４：第二トランシーバー１０６がＭ個の第二センスラインからのＭ個のフィードバック信号を受け取る。
【００２５】
ステップ８１６：第二検出回路１０８４がＭ個のフィードバック信号に基づいてＭ個の対応するデジタル信号Ｄ１を生成する。
【００２６】
ステップ８１８：処理器１０８がＭ個の対応するデジタル信号Ｄ１に基づいて少なくとも一つのタッチポイントの位置を判定し、そして、ステップ８０２に戻す。
【００２７】
ステップ８０８では、処理器１０８が、Ｎ個の第一信号Ｓ１のデューティサイクルにより、Ｎ個の第一センスライン１０４２のうち、少なくとも一つの物件によりタッチされた第一センスライン１０４２があるかどうかを判断する。ステップ８１２では、第一トランシーバー１０４が、物件によりタッチされた第一センスライン１０４２のみに高周波数信号Ｈ１を発し、また、第二トランシーバー１０６が、その同時に、タッチパネル１０２の第二軸方向におけるＭ個の第二センスライン１０６２にＭ個の低周波数信号Ｌ１を入力する。ステップ８１４では、Ｍ個のフィードバック信号が、Ｍ個の低周波数信号Ｌ１に高周波数信号Ｈ１を混入することにより得られる。ステップ８１６では、第二検出回路１０８４が、Ｍ個のフィードバック信号に基づいて、Ｍ個の対応するデジタル信号Ｄ１を生成し、そのうち、デジタル信号Ｄ１が、第二センスライン１０６２をタッチした物件の数につれて変化する。ステップ８１８では、処理器１０８が、Ｍ個の対応するデジタル信号Ｄ１により、少なくとも一つのタッチポイントの位置を判定する。
【００２８】
よって、本発明により提供されるマルチタッチ検出機能を有するタッチパネルシステム及びマルチタッチを検出する方法は、まず、タッチパネルの第一軸方向における第一センスラインを全体的にスキャンし、その後、反射されてきた信号により物件がタッチしたことがあるかどうかを判断する。物件がタッチしたことがあれば、物件がタッチした第一センスラインのみに高周波数信号を入力し、また、その同時に、タッチパネルの第二軸方向における第二センスラインに低周波数を入力する。その後、低周波数信号に高周波数信号を混入することにより得られたフィードバック信号により、少なくとも一つのタッチポイントの位置を判定する。これにより、ゴーストポイントの誤判断のような状況がなくなり、また、大量の記憶体及び煩雑な後続データ処理も要されない。
【００２９】
以上、本発明の好ましい実施形態を説明したが、本発明はこの実施形態に限定されず、本発明の趣旨を離脱しない限り、本発明に対するあらゆる変更は本発明の範囲に属する。
【符号の説明】
【００３０】
１００            タッチパネルシステム
１０２            パネル
１０４            第一トランシーバー
１０６            第二トランシーバー
１０８            処理器
１０４２          第一センスライン
１０６２          第二センスライン
１０８２          第一検出回路
１０８４          第二検出回路
１０８２２        電圧レベル比較器
１０８２４        周波数生成器
１０８２６        ラッチ回路
１０８４２        ハイパスフィルタ
１０８４４        成形フィルタ
１０８４６        アナログデジタル変換器
Ｓ１              第一信号
Ｄ１              デジタル信号
Ａ、Ｂ            タッチポイント
Ａ′、Ｂ′        ゴーストポイント
ＣＦ              物件の容量
ＣＦ              第一センスライン又は第二センスラインの容量
Ａ１、Ｂ１、Ｃ１  物件
Ｈ１              高周波数信号
Ｌ１              低周波数信号
８００−８１８    ステップ
【図１】
2012043401.tif 000003
【図２】
2012043401.tif 000004
【図３】
2012043401.tif 000005
【図４】
2012043401.tif 000006
【図５】
2012043401.tif 000007
【図６】
2012043401.tif 000008
【図７】
2012043401.tif 000009
【図８】
2012043401.tif 000010